(57)【要約】【課題】ノイズとみなされる突出した濃度測定値が原因となる不適なシェーディング補正量の設定をできる限り回避する技術を提供する。【解決手段】テスト露光により出力したテストプリントに対して主走査方向に沿った多数の測定点で濃度測定を行って測定濃度値を取得する測定濃度値取得部５１と、注目測定点を順次設定しながらその測定濃度値が注目測定点を挟む２つの隣接測定点の測定濃度値から所定レベル以上突出している場合注目測定点の測定濃度値の修正値として隣接測定点の測定濃度値の間の値を採用する突出値抑制処理を行うノイズ抑制部５２と、突出値抑制処理後の測定濃度値から算定された基準濃度値を用いてライン露光の主走査方向に沿った光量を調整するための補正量を算定するシェーディング補正量算定部５４とが備えられている。【選択図】図３
2008209474.tif 000002
【特許請求の範囲】
【請求項１】
記録媒体に対して主走査方向にライン露光を行う際の主走査方向における光量分布を均一にするシェーディング補正方法において、
テスト露光により出力したテストプリントに対して主走査方向に沿った多数の測定点：Ｐ(n)で濃度測定を行って測定濃度値：ｄ(n)を取得し、
前記多数の測定点から注目測定点：Ｐ(k)を順次設定しながら、前記注目測定点の測定濃度値：ｄ(k)が前記注目測定点を挟む２つの隣接測定点：Ｐ(k-1)、Ｐ(k+1)の測定濃度値：ｄ(k-1)、ｄ(k+1)のいずれか又は両方から所定レベル以上突出している場合前記注目測定点の測定濃度値の修正値：ｄm(n)として前記隣接測定点の測定濃度値の間の値を採用する突出値抑制処理を行い、
前記突出値抑制処理後の測定濃度値から基準濃度値を算定し、
測定濃度値が前記基準濃度値となるように前記ライン露光の主走査方向に沿った光量を調整する、
ことを特徴とするシェーディング補正方法。
【請求項２】
前記修正値：ｄm(n)が前記隣接測定点の測定濃度値の平均値であることを特徴とする請求項１に記載のシェーディング補正方法。
【請求項３】
全ての前記測定点にわたる前記突出値抑制処理が複数回行われた後、前記基準濃度値が算定されることを特徴とする請求項１又は２に記載のシェーディング補正方法。
【請求項４】
前記測定点と前記測定濃度値を座標軸とするデカルト座標系に前記測定濃度値を展開することにより定義された二次元平面において、前記注目測定点：Ｐ(k)を頂点とし、この頂点と左側隣接測定点：Ｐ(k-1)及び右側隣接測定点：Ｐ(k+1)とがなす角度：γが所定角度値以下である場合に前記修正値が求められることを特徴とする請求項１から３のいずれか一項に記載のシェーディング補正方法。
【請求項５】
記録媒体に対して主走査方向にライン露光を行う露光ヘッドの主走査方向における光量分布を均一にするシェーディング補正モジュールにおいて、
テスト露光により出力したテストプリントに対して主走査方向に沿った多数の測定点：Ｐ(n)で濃度測定を行って測定濃度値：ｄ(n)を取得する測定濃度値取得部と、
前記多数の測定点から注目測定点：Ｐ(k)を順次設定しながら、前記注目測定点の測定濃度値：ｄ(k)が前記注目測定点を挟む２つの隣接測定点：Ｐ(k-1)、Ｐ(k+1)の測定濃度値：ｄ(k-1)、ｄ(k+1)のいずれか又は両方から所定レベル以上突出している場合前記注目測定点の測定濃度値の修正値：ｄm(n)として前記隣接測定点の測定濃度値の間の値を採用する突出値抑制処理を行うノイズ抑制部と、
前記突出値抑制処理後の測定濃度値から基準濃度値を算定する基準濃度値算定部と、
濃度値が前記基準濃度値となるように前記ライン露光の主走査方向に沿った光量を調整するための補正量を算定するシェーディング補正量算定部と、
を備えていることを特徴とするシェーディング補正モジュール。
【発明の詳細な説明】
【技術分野】
【０００１】
本発明は、記録媒体に対して主走査方向にライン露光を行う際の主走査方向における光量分布を均一にするシェーディング補正技術に関する。
【背景技術】
【０００２】
ライン露光を利用している装置として、例えばレーザ露光ヘッド等の露光ヘッドを搭載した写真プリント装置があるが、この装置では感光材料に対して撮影画像データに基づく出力階調値で光ビームを照射しながら主走査方向と副走査方向での走査を通じて撮影画像を形成していく。レーザ露光エンジンでは、ミラーやレンズ等の光学系を用いてレーザ光を走査させて主走査方向における露光処理を行い、感光材料を所定の搬送方向に搬送することで副走査方向の露光処理を行っている。このうち、主走査方向における露光処理については、感光材料における中央部から端部に移動するにともない光学系を介して照射されるレーザ光の照射距離が長くなり、感光材料における中央領域と両端領域とでレーザ光の走査速度が変化して主走査方向における露光むらが生じる。このような主走査方向の光量分布の不均一性を補正するため、出力階調値を一定にしてテスト露光を行い、この露光によって得られたテストプリントの主走査方向での濃度測定を行い、濃度測定値と基準濃度値との差から出力階調値を調整する補正量を算定している。その濃度測定の際、塵などの介在を原因として異常な濃度測定値（ノイズと呼ばれる）が混じることがある。このノイズをそのままにしておくと、結果的に突出した補正量が算定されてしまうことになる。このような突出した異常な補正量をチェックして必要の場合修正するため、モニタ画面に補正量を主走査方向に並んで表示し、オペレータがマニュアルで異常な補正量をチェックする技術が提案されている（例えば、特許文献１参照。）
【特許文献１】特開２００６−１７１５３１号公報（段落番号００３９−００４９、図７）
【発明の開示】
【発明が解決しようとする課題】
【０００３】
上記特許文献１によるシェーディング補正技術では、ノイズとみなされる突出した濃度測定値に基づく補正量は、オペレータによる目視確認を通じて修正することが可能となるが、この目視確認はオペレータの過大な負担となる。このため、本発明の課題は、オペレータの負担とはならずに、ノイズとみなされる突出した濃度測定値が原因となる不適なシェーディング補正量の算定をできる限り回避する技術を提供することである。
【課題を解決するための手段】
【０００４】
記録媒体に対して主走査方向にライン露光を行う際の主走査方向における光量分布を均一にするシェーディング補正方法において、上記課題を解決するため、本発明では、テスト露光により出力したテストプリントに対して主走査方向に沿った多数の測定点：Ｐ(n)で濃度測定を行って測定濃度値：ｄ(n)を取得し、前記多数の測定点から注目測定点：Ｐ(k)を順次設定しながら、前記注目測定点の測定濃度値：ｄ(k)が前記注目測定点を挟む２つの隣接測定点：Ｐ(k-1)、Ｐ(k+1)の測定濃度値：ｄ(k-1)、ｄ(k+1)のいずれか又は両方から所定レベル以上突出している場合前記注目測定点の測定濃度値の修正値：ｄm(n)として前記隣接測定点の測定濃度値の間の値を採用する突出値抑制処理を行い、前記突出値抑制処理後の測定濃度値から基準濃度値を算定し、濃度値が前記基準濃度値となるように前記ライン露光の主走査方向に沿った光量を調整することを特徴としている。
【０００５】
この方法では、テストプリントにおける主走査方向でのある測定点の測定濃度値に注目すると、この測定濃度値がその両隣の測定点の測定濃度値のいずれか又は両方と較べて所定レベル以上の相違がある場合は、ノイズである可能性が高いと見なして、両隣の測定点の測定濃度値の間の値に修正される。これにより、他の測定濃度値から突出した測定濃度値が平坦化され、測定濃度値群から算定される基準濃度値も適正なものとなり、結果的にライン露光の主走査方向に沿った光量が適正に調整されることになる。
【０００６】
レーザ露光ヘッドなどでは、特に隣接する露光ポイントではそれほど大きな濃度差が生じないという事実を考慮して、ノイズである可能性が高いと見なされた測定濃度値を好適に修正するため、本発明の実施形態の１つでは、その修正値をその隣接測定点の測定濃度値の平均値としている。
【０００７】
また、塵などの障害物のサイズが大きい場合、単独の測定点の測定濃度値だけが突出するのではなく、連続した複数の測定点の測定濃度値が突出することも起こりえる。つまり、台形状に突出した測定濃度曲線が生じる。このようなケースに対処するため、本発明の好適な実施形態の１つでは、上述した突出抑制処理が複数回繰り返して行われる。この突出抑制処理の繰り返しにより、台形状に突出したノイズ部も平坦化される。
【０００８】
注目測定点の測定濃度をその両隣の測定点の測定濃度との間の突出度によりノイズを判定するための、具体的な方策として、前記測定点と前記濃度値を座標軸とするデカルト座標系に前記測定濃度値を展開することにより定義された二次元平面において、前記注目測定点を頂点とし、この頂点と左側隣接測定点及び右側隣接測定点とがなす角度：γが所定角度値以下である場合に前記修正値が求められることが提案される。これは、測定濃度値がデカルト座標点として展開された二次元平面を仮想すると、注目測定濃度点の２つの隣接測定濃度点からの突出度を簡単に判定する、高速で信頼性の高い判定アルゴリムを作成するためには、注目測定濃度点を頂点として２つの隣接測定濃度点を通る半直線がなす角度を用いると有利であるとの知見に基づいている。
【０００９】
さらに、記録媒体に対して主走査方向にライン露光を行う露光ヘッドの主走査方向における光量分布を均一にするシェーディング補正モジュールにおいて、上記課題を解決するために、本発明では、テスト露光により出力したテストプリントに対して主走査方向に沿った多数の測定点：Ｐ(n)で濃度測定を行って測定濃度値：ｄ(n)を取得する測定濃度値取得部と、前記多数の測定点から注目測定点：Ｐ(k)を順次設定しながら、前記注目測定点の測定濃度値：ｄ(k)が前記注目測定点を挟む２つの隣接測定点：Ｐ(k-1)、Ｐ(k+1)の測定濃度値：ｄ(k-1)、ｄ(k+1)のいずれか又は両方から所定レベル以上突出している場合前記注目測定点の測定濃度値の修正値：ｄm(n)として前記隣接測定点の測定濃度値の間の値を採用する突出値抑制処理を行うノイズ抑制部と、前記突出値抑制処理後の測定濃度値から基準濃度値を算定する基準濃度値算定部と、濃度値が前記基準濃度値となるように前記ライン露光の主走査方向に沿った光量を調整するための補正量を算定するシェーディング補正量算定部とが備えられている。このように構成されたシェーディング補正モジュールも、先のシェーディング補正方法で述べられた作用効果を伴うものであり、上述した種々の付加的な特徴構成を備えることもできる。
【００１０】
また、本発明は、シェーディング補正モジュール方法をコンピュータによって実現させるためのシェーディング補正プログラムも権利範囲としている。本発明によるその他の特徴及び利点は、以下の実施形態の説明により明らかになるだろう。
【発明を実施するための最良の形態】
【００１１】
本発明の実施例の１つとして、本発明によるシェーディング補正技術を採用した写真プリント装置を説明する。図１は写真プリント装置の外観図であり、この写真プリント装置は、記録媒体の一例である銀塩印画紙Ｐ（以下、印画紙Ｐと称する）に対して露光処理と現像処理とを行う写真プリンタとしてのプリントステーション１Ｂと、このプリントステーション１Ｂで使用されるプリントデータの生成・転送などを行う操作ステーション１Ａとから構成されている。この写真プリント装置はデジタルミニラボとも称せられるものであり、図２からよく理解できるように、プリントステーション１Ｂは２つの印画紙マガジン１１ａと１１ｂに納めたロール状の印画紙Ｐを該ステーション１Ｂの内部に搬送してプリントサイズに切断すると共に、このように切断された印画紙Ｐに対し、プリントエンジンとしての露光ヘッド１２で露光を行い、この露光後の印画紙Ｐを複数の現像処理槽を有した現像処理部１３に送って現像する。乾燥の後に装置上部の横送りコンベア１４からソータ１５に送られた印画紙Ｐ、つまり写真プリントＰは、このソータ１５の複数のトレイ１５ａに対してオーダ単位で仕分けられた状態で集積される。印画紙マガジン１１ａと１１ｂが装着される装着部には印画紙マガジン１１ａと１１ｂに付与されている印画紙ＩＤコードを読み取るＩＤコードリーダ２０が設けられている。この印画紙ＩＤコードは印画紙Ｐの種別を一義的に特定するものであり、この印画紙ＩＤコードを認識することにより、印画紙マガジン１１ａと１１ｂに収納されている印画紙Ｐの種別が認識されることになる。
【００１２】
露光ヘッド１２は、操作ステーション１Ａから送られてくるプリントデータに基づいて印画紙Ｐを送りながらＲ（赤）、Ｇ（緑）、Ｂ（青）の３原色の光線の照射を印画紙Ｐに対して行うものであり、露光時には印画紙Ｐを副走査方向に搬送しながら、この搬送速度と同期して主走査方向に沿ったライン状に露光を行うよう構成されている。尚、露光ヘッド１２としては、露光仕様に応じて、レーザビーム方式、蛍光ビーム方式、液晶シャッター方式、ＤＭＤ方式、ＬＥＤ方式など、及びそれらの組み合わせたものの採用が可能であるが、ここではレーザビーム方式が採用されている。又、前記現像処理部１３は露光後の印画紙Ｐを複数の現像処理槽に対して連続的に送るよう多数の圧着ローラを有した搬送系を備えている。
【００１３】
前記操作ステーション１Ａは、操作テーブル１６を設けたデスク状コンソールの上部位置に写真フィルムＦから撮影画像データを取得するフィルムスキャナ２Ａと、各種情報を表示するモニタ１７とを備えている。さらに操作テーブル１６にはこの写真プリント装置の操作入力部１８として機能するキーボードやマウスや、この写真プリント装置で出力されたテストプリントなどの濃度を測定するための測色計１９が備えられている。
【００１４】
また、この操作テーブル１６の側方には、フィルムスキャナ２Ａを通じて写真フィルムＦから読み取られた画像データの処理やプリントデータの生成、プリントステーション１Ｂの制御を行うコントローラ４として機能する汎用コンピュータ（以後単にパソコンと称する）が備えられている。このパソコン４にはデジタルカメラの撮影画像メモリとして用いられているカードメモリなどから撮影画像データを取得するメディアリーダ２Ｂも備えられており、前述したフィルムスキャナ２Ａとこのメディアリーダ２Ｂ、さらには通信回線を利用して送られてくる画像データを受信するここでは図示されていない画像データ受信部などを総称して画像データ取得部２と称する。画像データ取得部２を通じて撮影画像データが画像前処理を施されたのち、コントローラ４のメモリに送り込まれる。
【００１５】
この写真プリント装置のコントローラとしても用いられているパソコン４は、ＣＰＵを中核部材として、写真プリント装置の種々の動作を行うための機能部がハードウエア又はソフトウエアあるいはその両方で実装されている。図３に示されているように、このパソコン４によって作り出される、本発明に特に関係する機能部として、テストプリントデータ格納部４０、色調補正やフィルタリング（ぼかしやシャープネスなど）やトリミングなどの各種フォトレタッチ処理を行う画像処理部４１、露光ヘッド１２の主走査方向の輝度むらを補正する補正量を格納しているシェーディング補正用ルックアップテーブル４２ａ、このシェーディング補正用ルックアップテーブルを用いながら最終的な画像データを露光ヘッド１２のための出力階調値を補正する階調補正部４２、適切な出力階調値となった画像データから露光ヘッド１２を駆動するためのプリントデータを生成するプリントデータ生成部４３、ＩＤコードリーダ２０によって読み取られた印画紙ＩＤコードから現在装填されている印画紙マガジン１１ａと１１ｂに収納されている印画紙Ｐの種類を特定する印画紙種別認識部４４、さらに、この写真プリント装置によって出力されたテストプリントＰcに対する測色計１９による測定結果としての測定濃度値に基づいてシェーディング補正処理を行うシェーディング補正モジュール５０が挙げられる。
【００１６】
シェーディング補正のために用いられるテストプリントＰcは、所定長さの副走査送りを行いながら０.８Ｄ程度の濃度値となるような一定の出力階調値で露光ヘッド１２を主走査方向で全走査範囲で繰り返し駆動しながら得られた大きな単一パッチ面を有している。この主走査方向に延びた単一パッチ面の濃度（Ｃ・Ｍ・Ｙ）を測定することにより、露光ヘッド１２の主走査方向の輝度むらが色成分毎に検出することができる。各色成分ともこの輝度むらは露光ヘッド１２の光学系の特性等に起因しており、図４に例示するように、一般的には主走査方向の両端領域の濃度が中央部領域よりも低下している傾向をもっている。
【００１７】
図５には、テストチャートＰcが投入される状態の測色計１９を示している。この測色計１９は分光測色計であり、ステッピングモータによって駆動される複数圧着搬送ローラ対１９ａとセンサ部１９ｂを備えている。センサ部１９ｂにはテストチャートＰｃ等のセンシング対象に白色光を照射し、センシング対象からの反射光を受け、その反射光からＲ（赤）、Ｇ（緑）、Ｂ（青）又はＣ（シアン）、Ｍ（マゼンタ）、Ｙ（イエロー）の３原色毎の濃度データを取得するセンサ素子が組み込まれている。
【００１８】
測色計１９から送られてくるテストプリントＰcの主走査方向に沿った測定点：Ｐ(n)（この実施形態ではｎ＝１〜５２）の測定濃度値：ｄ(n)に基づいてシェーディング補正処理を行うシェーディング補正モジュール５０には、図３に示されているように、測色計１９からの測定結果データを取得する測定濃度値取得部５１と、５２個の測定点から注目測定点：Ｐ(k)（kは1〜n）を順次設定しながら、前記注目測定点の測定濃度値：ｄ(k)が前記注目測定点を挟む２つの隣接測定点：Ｐ(k-1)、Ｐ(k+1)の測定濃度値：ｄ(k-1)、ｄ(k+1)から所定レベル以上突出している場合注目測定点：Ｐ(k)の測定濃度値の修正値：ｄm(n)として隣接測定点の測定濃度値の平均値を採用する突出値抑制処理を行うノイズ抑制部５２と、このノイズ抑制部５２による突出値抑制処理後の測定濃度値を平均値を演算してその平均値を基準濃度値：Ｄrefとする基準濃度値算定部５３と、実際にプリントされた露光ドットの濃度値が基準濃度値となるように主走査方向位置に応じて露光ヘッド１２への出力階調値、結果的には光量を調整するための補正量を算定するシェーディング補正量算定部５４とが含まれている。
【００１９】
次に、図６と図７を用いて、ノイズ抑制部５２で実際に行われている突出値抑制処理を模式的に説明する。テストプリントＰcに対する測定点とその濃度値を座標軸とするデカルト座標系に測定濃度値を展開すると、図４に示されているような二次元平面上のグラフが得られる。  図６と図７は、そのような測定点と測定濃度値の関係を示すグラフにおける、突出した、ノイズと見なされる測定濃度値部分の拡大図である。
【００２０】
図６は１つの測定点の測定濃度値だけが突出している例であり、その測定濃度値を頂点Ｂ、左右の隣接する測定点の測定濃度値を側点ＡとＣとすると、この頂点Ｂの突出度は、頂点Ｂと側点Ａとを結ぶ線分と頂点Ｂと側点Ｃとを結ぶ線分がなす角度：γによって表すことができる。つまり、角度範囲０〜１８０°において角度：γが小さいほど頂点Ｂの突出度が大きいということになる。この角度：γは、このデカルト座標系の座標軸の単位を予め決めておくことで、各点の座標値（測定点の主走査方向距離、測定濃度値）から簡単な幾何学的演算によって算定することができる。ノイズと見なすかどうかの判定条件としての角度：γのしきい値としては、目視確認できる輝度むらとして実験的に確かめられた濃度差である０.０２Ｄとなる値を採用することが好ましい。頂点Ｂがノイズを判定された場合は、頂点Ｂの濃度値を側点Ａの測定濃度値と側点Ｃの測定濃度値との平均値とする修正を行う（図６において点線で示している）。
【００２１】
図７に示すように、複数の測定点、ここでは３つの測定点の測定濃度値が突出している場合、先に行ったような突出値抑制処理を２回行えばよい。つまり、ここでは、Ｂ、Ｃ、Ｄで示された測定点の測定濃度値が突出していることになるので、１回目の突出値抑制処理で点Ｂと点Ｄを頂点とする角度がしきい値以下としてチェックをうけ、点Ｂ’と点Ｄ’の濃度位置に修正される。さらに、２回目の突出値抑制処理で点Ｃを頂点とする角度がしきい値以下としてチェックをうけ、点Ｃ’の濃度位置に修正される。これにより、最初にＢ、Ｃ、Ｄで示された連続的に突出した測定濃度値がかなり平坦化される。この突出値抑制処理の繰り返し回数は、実験的又は経験的に塵などにより生じるノイズ測定の連続回数を調べておき、それにより決定しておくとよい。
【００２２】
次に、この写真プリント装置におけるシェーディング補正処理の手順を図８と図９のフローチャートを用いて説明する。
まず、テストプリントデータ格納部４０からテストプリント用画像データが読み出され、階調補正部４２によって現時点でシェーディング補正用ルックアップテーブル４２ａに設定されている補正量を用いて階調補正が行われるとともに、プリントデータ生成部４３によってプリントデータ（出力階調値）に変換され、そのプリントデータに基づいて露光ヘッド１２が駆動制御され印画紙Ｐを露光する。露光された印画紙Ｐは現像処理部１３で現像されたのち乾燥され、テストプリントＰcとして横送りコンベヤ１４上に排出される（＃０１）。テストプリントＰcの濃度測定の前に、測色計１９の較正が行われる（＃０２）。これは測色計１９に用いられている発光ダイオードの経時変化等による発光特性の変動によって測定誤差が生じるからである。較正を終えた測色計１９にテストプリントＰcが主走査方向に沿って投入されると（＃０３）、ステッピングモータが駆動され、予め定められた測定点で濃度測定が行われる（＃０４）。この濃度測定では、各測定点とその測定濃度値（Ｃ・Ｍ・Ｙ濃度値）がリンクされる。テストプリントＰcに対する濃度測定が終了すると、その濃度測定結果が測定濃度値取得部５１に転送される（＃０５）。測定濃度値取得部５１で取得された濃度測定結果（各測定点とその測定濃度値）は、ノイズ抑制部５２によって、図９で示すような突出値抑制処理を受ける（＃０６）。突出値抑制処理により、ノイズと見なされた濃度測定値が修正値に修正された後に、基準濃度値算定部５３が、全ての濃度測定値を平均演算することで基準濃度値を算定する（＃０７）。次に、補正量算定部５４が、全ての濃度測定値がこの基準濃度値になるように出力階調値を調整するための補正量を算定し（＃０８）、その補正量に基づいてシェーディング補正用ルックアップテーブル４２ａを書き換える（＃０９）。
【００２３】
図９に示すように、上記突出値抑制処理では、まず各変数等をリセットするなどの初期設定を行う（＃６０）。続いて、注目すべき測定点：Ｐ(k)を指定するが、この測定点は主操作方向の一端側（Ｐ(k=1)）から他端側（Ｐ(k=52)）の順で並んでいるので、最初はk=1から始めて順次kをn=52までインクリメントしていくとよい（＃６１）。注目測定点：Ｐ(k)が指定されるとその測定濃度値：ｄ(k)を読み込む（＃６２）。さらに、注目測定点：Ｐ(k)の両隣の測定点：Ｐ(k-1)とＰ(k+1)の測定濃度値：ｄ(k-1)とｄ(k+1)を読み込む（＃６３）。なお、k=1の場合左隣の測定点が存在せず、k=52の場合右隣の測定点が存在しないので、それらの測定濃度値は注目測定点の測定濃度値を流用することにしておくと、アルゴリズム的には都合がよい。このようにして、３つの測定濃度値：ｄ(k-1)とｄ(k)とｄ(k+1)を読み込むと、図６を用いて説明したような幾何学的演算を通じて注目測定点の測定濃度値を頂点とする角度：γを求める（＃６４）。求められた角度：γは注目測定点の測定濃度値の突出度合いを示す指標となるので、この値を予め設定されているしきい値と比較して、その測定濃度値がノイズと見なされるかどうかをチェックする（＃６５）。角度：γが正の場合上向き突出で、負の場合下向き突出となるので、この判定条件は「｜γ｜＜しきい値」となる。この判定条件を満たしている場合は（＃６５Yes分岐）、注目測定点にノイズが発生しているとみなし、注目測定点の測定濃度を、両隣の測定濃度値：ｄ(k-1)とｄ(k+1)の平均値である修正値：ｄm(k)で置き換える（＃６６）。この判定条件を満たしていない場合は（＃６５No分岐）、注目測定点はノイズでないと見なし、ステップ＃６６をジャンプする。続いて、次の処理対象となる測定点が残っているかどうかチェックし、残っている場合（＃６７Yes分岐）はステップ＃６１にジャンプして次の測定点を指定（kの値をインクリメントする）して再び同じ処理を繰り返し、最終的に全ての測定濃度値に対する突出値抑制を行う。次の処理対象となる測定点が残っていない場合（＃６７No分岐）は、この突出抑制処理を所定回数（例えば３回）だけ繰り返したかどうかをチェックする（＃６８）。既に所定回数分の繰り返しを行った場合（＃６８Yes分岐）、この突出値抑制処理を終了して、リターンする。既に所定回数分の繰り返しを行った場合（＃６８No分岐）、ステップ＃６０にジャンプして、再び初期設定を行って、最初の測定点からこの突出値抑制処理を繰り返す。
【００２４】
上記実施の形態では、突出濃度値の判定条件として、注目測定点の測定濃度値を頂点とする角度を用いていたが、注目測定点の測定濃度値と隣接測定点の測定濃度値との純粋な差分値や濃度値で正規化された差分値を所定のしきい値で比較するといった判定条件を採用してもよい。本発明で重要なことは、基準濃度値を算定するためのベースとなる測定濃度値からノイズ等による突出した値を自動的に抑制することである。また、突出値抑制処理後の測定濃度値群から基準濃度値を算定する演算方法も単なる算術平均法だけでなく、その他の代表値を求める演算法を採用しても良い。
【００２５】
さらに、上記実施の形態では、突出値抑制処理ルーチンにおいてその突出値抑制処理を所定回数だけ行っていたが、｜γ｜＜しきい値の判定条件に合致する測定濃度値又は修正値がなくなるまで突出値抑制処理を繰り返してもよい。そのような突出値抑制処理ルーチンは図１０に示されている。この突出値抑制処理ルーチンは図９のものに較べ、｜γ｜＜しきい値の判定条件が満たされると、突出値有りフラグに「１」を代入するステップ＃６５ａを追加したことと、ステップ＃６８で突出値抑制処理の所定回数をチェックする代わりに、突出値有りフラグの値が「１」であるかどうかをチェックすることで異なっている。これにより、｜γ｜＜しきい値を満たす測定濃度値又は修正値がなくなるまで突出値抑制処理が繰り返される。もちろん、このルーチンでは、ステップ＃６０の初期設定において突出値有りフラグがリセットされる。
【図面の簡単な説明】
【００２６】
【図１】本発明によるシェーディング補正技術を採用した写真プリント装置の外観図
【図２】図１による写真プリント装置のプリントステーションを示す模式図
【図３】写真プリント装置に組み込まれたパソコンに構築される本発明に関係する主な機能を示す機能ブロック図
【図４】テストプリントの測定結果から得られる主走査方向の測定点と測定濃度値の関係を示すグラフ
【図５】テストチャートが投入される測色計の斜視図
【図６】突出値抑制処理の一例を示す説明図
【図７】複数回繰り返される突出値抑制処理の一例を示す説明図
【図８】シェーディング補正処理の手順を示すフローチャート
【図９】突出値抑制処理の手順を示すフローチャート
【図１０】別形態での突出値抑制処理の手順を示すフローチャート
【符号の説明】
【００２７】
１９    測色計
４０    テストチャートデータ格納部
４１    画像処理部
４２    階調補正部
４２ａ  シェーディング補正ルックアップテーブル
４３    プリントデータ生成部
５０    シェーディング補正モジュール
５１    測定濃度値取得部
５２    ノイズ抑制部
５３    基準濃度値算定部
５４    補正量算定部
【図１】
2008209474.tif 000003
【図２】
2008209474.tif 000004
【図３】
2008209474.tif 000005
【図４】
2008209474.tif 000006
【図５】
2008209474.tif 000007
【図６】
2008209474.tif 000008
【図７】
2008209474.tif 000009
【図８】
2008209474.tif 000010
【図９】
2008209474.tif 000011
【図１０】
2008209474.tif 000012